(57)【要約】【課題】梱包箱から剥がす際に発生する応力によって無線通信機能が破壊される構造になっているＲＦタグを利用して，ＲＦタグが貼られた梱包箱の開封管理に加え，ＲＦタグが貼られた梱包箱に梱包されている製品の使用を管理できるシステムを提供する。【解決手段】製品使用管理システム１は，ＲＦタグ４が貼られた梱包箱３が開封される前に，梱包箱３から剥がす際に発生する応力によって無線通信機能が破壊される構造になっているＲＦタグ４からタグ識別番号が製品登録装置５によって読み出され，製品登録装置５がＲＦタグ４から読み出したタグ識別番号に対応する製品識別番号が管理サーバ７に登録されている場合のみ，梱包箱３に梱包されている製品２がネットワーク８に接続した時に製品２が起動するように構成されている。【選択図】図１
2018063603.tif 000002
【特許請求の範囲】
【請求項１】
ネットワーク接続に対応している製品と，前記製品が梱包されている梱包箱に貼られたＲＦタグと，前記製品を販売している店舗に設置された製品登録装置と，前記製品の使用を管理する管理サーバから構成され，
前記ＲＦタグは，前記ＲＦタグを識別するタグ識別番号を記憶し，前記梱包箱から剥がす際に発生する応力によって無線通信機能が破壊される構造を備え，
前記製品登録装置は，前記ＲＦタグと無線通信してタグ識別番号を読み出し，前記ＲＦタグから読み出したタグ識別番号を含む製品登録要求を前記管理サーバに送信する処理を実行する製品登録部を備え，
前記製品は，ネットワークに接続すると，前記製品で固有な製品識別番号を前記管理サーバに送信し，前記管理サーバから起動許可通知が送信されると，前記製品を動作させるためのソフトウェアを起動する処理を実行する製品制御部を備え，
前記管理サーバは，タグ識別番号に関連付けて，タグ識別番号を記憶している前記ＲＦタグが貼られた前記梱包箱に梱包された前記製品の製品識別番号を記憶するタグＤＢと，前記製品登録装置によってタグ識別番号が読み取られた前記ＲＦタグが貼られた前記梱包箱に梱包されていた前記製品の製品識別番号を記憶する登録製品ＤＢと，前記製品登録装置から送信された前記製品登録要求に含まれるタグ識別番号が前記タグＤＢに登録されている場合，前記製品登録装置から送信されたタグ識別番号に対応する製品識別番号を前記登録製品ＤＢに登録する処理と，ネットワークに接続した前記製品から送信された製品識別番号が前記登録製品ＤＢに登録されている場合，製品識別番号を送信した前記製品に対して起動許可通知を送信する処理を実行する製品管理部を備え，
ていることを特徴とする製品使用管理システム。
【請求項２】
前記製品を購入したユーザが所持するユーザ登録装置を含み，
前記ユーザ登録装置は，前記ＲＦタグと無線通信してタグ識別番号を読み出し，前記ＲＦタグから読み出したタグ識別番号を含むユーザ登録要求を前記管理サーバに送信する処理と，前記管理サーバから送信されたユーザ情報入力画面にユーザが入力したユーザ情報を前記管理サーバに送信する処理を実行するユーザ登録部を備え，
前記管理サーバの前記製品管理部は，前記ユーザ登録装置から送信された前記ユーザ登録要求に含まれるタグ識別番号に対応する製品識別番号が前記登録製品ＤＢに登録されている場合，前記ユーザ登録要求を送信した前記ユーザ登録装置にユーザ情報入力画面を送信し，前記ユーザ登録装置から送信されたユーザ情報を，前記ユーザ登録要求に含まれるタグ識別番号に対応する製品識別番号に関連付けて前記登録製品ＤＢに登録する処理を実行し，ネットワークに接続した前記製品から送信された製品識別番号が前記登録製品ＤＢに登録され，かつ，前記製品から送信された製品識別番号にユーザ情報が関連付けられている場合，製品識別番号を送信した前記製品に対して起動許可通知を送信する，
ことを特徴とする請求項１に記載した製品使用管理システム。
【発明の詳細な説明】
【技術分野】
【０００１】
本発明は，個体識別に用いるＲＦタグ（RF: Radio Frequency）を利用して，製品の使用を管理する技術に関する。
【背景技術】
【０００２】
電波を使って物品や人物を自動的に識別する時に用いるタグ識別番号を記憶したＲＦタグは様々な製品の管理用途で利用されている。例えば，流通分野では，製品のトレーサビリティ管理以外に，製品の開封管理にＲＦタグを利用することが検討されている。
【０００３】
製品を納めた梱包箱の開封管理に利用するＲＦタグは，流通経路における製品のすり替え（高額な物品を安価な物品に入れ替える）を防止できるように，ＲＦタグを梱包箱から剥がす際に発生する応力によって無線通信機能が破壊される構造になっている。特許文献１で開示されているＲＦタグ（非接触式ＩＣラベル）は，ＲＦタグを梱包箱から剥がす際に発生する応力によって無線通信機能が破壊されるように，所定以上の張力が加わると破断して回路を切断する破断スイッチを備えている。
【０００４】
また，アプリケーションの起動管理にＲＦタグを利用することも検討されている。特許文献２で開示されている携帯情報端末は，ＲＦタグ（無線ＩＣタグ）から読み出したタグ識別番号に関連付けられているアプリケーションを選択し、選択したアプリケーションを実行する機能を備えている。
【０００５】
更に，製品のユーザ登録管理にＲＦタグを利用することも検討されている。特許文献３では，ネットワーク上のサーバへの接続情報と製品のタグ識別番号（製品識別情報）をＲＦタグに記憶させ、ＲＦタグから読み取った接続情報に基づきサーバに通信接続し、ＲＦタグから読み取ったタグ識別番号をサーバに提示してユーザ登録を行えるようにしたシステムが開示されている。
【先行技術文献】
【特許文献】
【０００６】
【特許文献１】特開２００６−１３４２２３号公報
【特許文献２】ＷＯ２００６／０９０４６０号公報
【特許文献３】特開２００５−２４２５３８号公報
【発明の概要】
【発明が解決しようとする課題】
【０００７】
しかしながら，梱包箱から剥がす際に発生する応力によって無線通信機能が破壊される構造になっているＲＦタグは，梱包箱から剥がす際に発生する応力によって無線通信機能が破壊されてしまうため開封管理以外の用途には利用できなかった。
【０００８】
そこで，本発明は，梱包箱から剥がす際に発生する応力によって無線通信機能が破壊される構造になっているＲＦタグを利用して，このＲＦタグが貼られた梱包箱の開封管理に加え，このＲＦタグが貼られた梱包箱に梱包されている製品の使用を管理できるシステムを提供することを目的とする。
【課題を解決するための手段】
【０００９】
上述した課題を解決する第１の発明は，ネットワーク接続に対応している製品と，前記製品が梱包されている梱包箱に貼られたＲＦタグと，前記製品を販売している店舗に設置された製品登録装置と，前記製品の使用を管理する管理サーバから構成され，前記ＲＦタグは，前記ＲＦタグを識別するタグ識別番号を記憶し，前記梱包箱から剥がす際に発生する応力によって無線通信機能が破壊される構造を備え，前記製品登録装置は，前記ＲＦタグと無線通信してタグ識別番号を読み出し，前記ＲＦタグから読み出したタグ識別番号を含む製品登録要求を前記管理サーバに送信する処理を実行する製品登録部を備え，前記製品は，ネットワークに接続すると，前記製品で固有な製品識別番号を前記管理サーバに送信し，前記管理サーバから起動許可通知が送信されると，前記製品を動作させるためのソフトウェアを起動する処理を実行する製品制御部を備え，前記管理サーバは，タグ識別番号に関連付けて，タグ識別番号を記憶している前記ＲＦタグが貼られた前記梱包箱に梱包された前記製品の製品識別番号を記憶するタグＤＢと，前記製品登録装置によってタグ識別番号が読み取られた前記ＲＦタグが貼られた前記梱包箱に梱包されていた前記製品の製品識別番号を記憶する登録製品ＤＢと，前記製品登録装置から送信された前記製品登録要求に含まれるタグ識別番号が前記タグＤＢに登録されている場合，前記製品登録装置から送信されたタグ識別番号に対応する製品識別番号を前記登録製品ＤＢに登録する処理と，ネットワークに接続した前記製品から送信された製品識別番号が前記登録製品ＤＢに登録されている場合，製品識別番号を送信した前記製品に対して起動許可通知を送信する処理を実行する製品管理部を備えていることを特徴とする製品使用管理システムである。
【００１０】
更に，第２の発明は，製品２の使用許可の条件にユーザ情報の登録を加えた発明で，第１の発明に記載した製品使用管理システムにおいて，前記製品を購入したユーザが所持するユーザ登録装置を含み，前記ユーザ登録装置は，前記ＲＦタグと無線通信してタグ識別番号を読み出し，前記ＲＦタグから読み出したタグ識別番号を含むユーザ登録要求を前記管理サーバに送信する処理と，前記管理サーバから送信されたユーザ情報入力画面にユーザが入力したユーザ情報を前記管理サーバに送信する処理を実行するユーザ登録部を備え，前記管理サーバの前記製品管理部は，前記ユーザ登録装置から送信された前記ユーザ登録要求に含まれるタグ識別番号に対応する製品識別番号が前記登録製品ＤＢに登録されている場合，前記ユーザ登録要求を送信した前記ユーザ登録装置にユーザ情報入力画面を送信し，前記ユーザ登録装置から送信されたユーザ情報を，前記ユーザ登録要求に含まれるタグ識別番号に対応する製品識別番号に関連付けて前記登録製品ＤＢに登録する処理を実行し，ネットワークに接続した前記製品から送信された製品識別番号が前記登録製品ＤＢに登録され，かつ，前記製品から送信された製品識別番号にユーザ情報が関連付けられている場合，製品識別番号を送信した前記製品に対して起動許可通知を送信することを特徴とする。
【発明の効果】
【００１１】
上述した本発明に係る製品使用管理システムは，本発明に係る目的を解決するために，ＲＦタグが貼られた梱包箱が開封される前に，梱包箱から剥がす際に発生する応力によって無線通信機能が破壊される構造のＲＦタグからタグ識別番号がによって読み出され，製品登録装置がＲＦタグから読み出したタグ識別番号に対応する製品識別番号が管理サーバに登録されている場合のみ，梱包箱に梱包されている製品がネットワークに接続した時に製品が起動するように構成されている。
【図面の簡単な説明】
【００１２】
【図１】製品使用管理システムの構成を説明する図。
【図２】製品使用管理システムのブロック図。
【図３】製品使用管理システムで実行される処理を説明する図。
【図４】製品登録処理を説明する図。
【図５】ユーザ登録処理を説明する図。
【図６】製品使用管理処理を説明する図。
【発明を実施するための形態】
【００１３】
ここから，本発明の好適な実施形態を記載する。なお，以下の記載は本発明の技術的範囲を束縛するものでなく，理解を助けるために記述するものである。
【００１４】
図１は，本実施形態に係る製品使用管理システム１の構成を説明する図である。本実施形態に係る製品使用管理システム１は，剥がす際に発生する応力によって無線通信機能が破壊される構造になっているＲＦタグ４を利用して，ＲＦタグ４が貼られた梱包箱３（図１では外箱）の開封管理に加え，ＲＦタグ４が貼られた梱包箱３に梱包されている製品２の使用を管理できるように提案されたシステムである。更に，本実施形態に係る製品使用管理システム１では，ＲＦタグ４を利用して，製品２の梱包箱３に梱包された製品２のユーザ登録を簡素化できるようにしている。
【００１５】
図１で図示したように，本実施形態に係る製品使用管理システム１は，ネットワーク接続に対応している製品２と，製品２が梱包されている梱包箱３に貼られているＲＦタグ４と，製品２を販売する店舗に設置された製品登録装置５と，製品２を購入したユーザが所持しているユーザ登録装置６と，ネットワーク８に接続した製品２の使用を管理する管理サーバ７から少なくとも構成される。
【００１６】
図２は，製品使用管理システム１のブロック図である。まず，本実施形態に係るＲＦタグ４について説明する。本実施形態に係るＲＦタグ４は，ＲＦタグ４を識別するタグ識別番号をメモリに記憶したＩＣチップとアンテナが実装され，タグ識別番号を読み出すコマンドを受信するとタグ識別番号を無線により発信するインレット部４０と，ＲＦタグ４を梱包箱３から剥がす際に発生する応力によってインレット部４０を破断する構造である易破断部４１を備える。
【００１７】
ＲＦタグ４のインレット部４０が対応している無線通信の周波数は限定されないが，ユーザがＲＦリーダライタなどをＲＦタグ４にかざす操作によってＲＦタグ４のインレット部４０が起動するように，ＲＦタグ４のインレット部４０は近接無線通信の周波数（例えば，１３．５６Ｍｈｚ）に対応していることが望ましい。
【００１８】
ＲＦタグ４の易破断部４１は，ＲＦタグ４を梱包箱３から剥がす際に発生する応力によってインレット部４０が破壊されるための機能である。本実施形態において，ＲＦタグ４は，梱包箱３が開封される際，易破断部４１によりインレット部４０が破断するように梱包箱３に貼られており，ＲＦタグ４が貼られた梱包箱３が未開封状態にある時，ＲＦタグ４のインレット部４０は動作するが，ＲＦタグ４が貼られた梱包箱３が開封状態になると，ＲＦタグ４のインレット部４０は動作しない。
【００１９】
ＲＦタグ４の易破断部４１を実現する手法は任意である。特許文献１では，ＲＦタグ４の易破断部４１を実現するための手法として，所定以上の張力が加わるとアンテナを破断して切断する破断スイッチをＲＦタグ４に備えさせることが開示されている。また，特開２００６−１５９８３０号公報または特開２０１０−１２８５１７号公報では，ＲＦタグ４の易破断部４１を実現するための手法として，ＲＦタグ４の周辺部に複数の切り込みを設けることが開示されている。
【００２０】
なお，製品２を梱包した梱包箱３を搬送中にＲＦタグ４の易破断部４１が破断してしまった時に備え，管理サーバ７のアドレス（例えば，ＵＲＬ）をエンコードした光学認識マークをＲＦタグ４の表面に印字しておくことが望ましい。
【００２１】
次に，本実施形態に係る製品登録装置５について説明する。製品使用管理システム１の製品登録装置５は，ディスプレイや入力デバイスを有するコンピュータで実現される装置である。製品登録装置５の好適な形態は，図１で図示したように，店舗に設置されたＰＯＳレジスタであるが，タッチパネルを有するスマートフォン（または，タブレットコンピュータ）や，液晶ディスプレイやキーボードなどが接続されたパーソナルコンピュータを製品登録装置５に利用してもよい。
【００２２】
図２に図示したように，本実施形態に係る製品登録装置５は，通信機能として，ネットワーク通信するための機能であるネットワーク通信部５２と，ＲＦタグ４と無線通信するための機能であるＲＦタグ通信部５１を備える。
【００２３】
製品登録装置５のネットワーク通信部５２の形態は製品登録装置５の形態に依存する。製品登録装置５をＰＯＳレジスタで実現する場合，製品登録装置５のネットワーク通信部５２は有線通信用の通信回路（例えば，Ｅｔｈｅｒｎｅｔ（登録商標））になる。また，製品登録装置５をパーソナルコンピュータで実現する場合，製品登録装置５のネットワーク通信部５２は，有線通信用の通信回路または近距離通信用の通信回路（例えば，Ｗｉｆｉ）になる。更に，製品登録装置５をスマートフォンで実現する場合，製品登録装置５のネットワーク通信部５２は，移動体通信用の通信回路になる。
【００２４】
製品登録装置５のＲＦタグ通信部５１の形態も製品登録装置５の形態に依存する。製品登録装置５をＰＯＳレジスタで実現する場合，製品登録装置５のＲＦタグ通信部５１は，ＰＯＳレジスタに接続したＲＦタグリーダになる。また，製品登録装置５をスマートフォンで実現する場合，製品登録装置５のＲＦタグ通信部５１は，ＮＦＣ（Near Field Communication）のＩＣチップに代表され，ＲＦタグ４との通信に用いるアンテナが接続されたＣＬＦ（ContactLess Frontend）チップになる。
【００２５】
製品登録装置５として用いるコンピュータを動作させるアプリケーションで実現される機能として，製品登録装置５は製品登録部５０を備える。本実施形態において，製品登録装置５の製品登録部５０は，ＲＦタグ４に記憶されているタグ識別番号を読み取る操作が製品登録装置５上でなされると，ＲＦタグ通信部５１を利用して，ＲＦタグ４からタグ識別番号を取得した後，ＲＦタグ４から読み出したタグ識別番号を含む製品登録要求を管理サーバ７に送信する処理を少なくとも実行する。
【００２６】
次に，本実施形態に係るユーザ登録装置６について説明する。製品使用管理システム１のユーザ登録装置６は，ディスプレイや入力デバイスを有するコンピュータで実現される装置である。ユーザ登録装置６の好適な形態は，図１で図示したように，タッチパネルを有するスマートフォン（または，タブレットコンピュータ）であるが，ユーザ登録装置６は，液晶ディスプレイやキーボードなどが接続されたパーソナルコンピュータでも実現できる。
【００２７】
図２に図示したように，本実施形態に係るユーザ登録装置６は，通信機能として，ネットワーク通信するための機能であるネットワーク通信部６２と，ＲＦタグ４と無線通信するための機能であるＲＦタグ通信部６１を備える。
【００２８】
ユーザ登録装置６のネットワーク通信部６２の形態はユーザ登録装置６の形態に依存する。ユーザ登録装置６をスマートフォンで実現する場合，ユーザ登録装置６のネットワーク通信部６２は，移動体通信用の通信回路になる。また，ユーザ登録装置６をパーソナルコンピュータで実現する場合，ユーザ登録装置６のネットワーク通信部６２は，近距離通信用の通信回路（例えば，Ｗｉｆｉ）や，有線通信用の通信回路（例えば，Ｅｔｈｅｒｎｅｔ（登録商標））になる。
【００２９】
ユーザ登録装置６のＲＦタグ通信部６１の形態もユーザ登録装置６の形態に依存する。ユーザ登録装置６をスマートフォンで実現する場合，ユーザ登録装置６のＲＦタグ通信部６１は，ＲＦタグ４との通信に用いるアンテナが接続されたＣＬＦチップになる。また，ユーザ登録装置６をノート型パーソナルコンピュータで実現する場合，ユーザ登録装置６のＲＦタグ通信部６１は，ノート型パーソナルコンピュータに接続したＲＦタグリーダになる。
【００３０】
ユーザ登録装置６として用いるコンピュータを動作させるアプリケーションで実現される機能として，ユーザ登録装置６はユーザ登録部６０を備える。本実施形態において，ユーザ登録装置６のユーザ登録部６０は，ＲＦタグ４に記憶されているタグ識別番号を読み取る操作がユーザ登録装置６上でなされると，ＲＦタグ通信部６１を利用して，ＲＦタグ４からタグ識別番号を取得した後，ＲＦタグ４から読み出したタグ識別番号を含むユーザ登録要求を管理サーバ７に送信する処理を実行する。また，ユーザ登録装置６のユーザ登録部６０は，管理サーバ７からユーザ情報入力画面を受信すると，ユーザ情報入力画面をユーザ登録装置６に表示させ，ユーザ情報入力画面にユーザが入力したユーザ情報を管理サーバ７に送信する処理を行う。
【００３１】
次に，本実施形態に係る製品２について説明する。本発明において，製品２とは，具体的に，ゲーム機，テレビ，健康器具または家電等のネットワーク８に接続して利用するコンピュータ機器で，図１では，製品２をゲーム機として図示している。
【００３２】
図２に図示したように，本実施形態に係る製品２は，通信機能として，ネットワーク通信するための機能であるネットワーク通信部２１を備える。製品２が備えるネットワーク通信部２１は，近距離通信用の通信回路や有線通信用の通信回路になる。
【００３３】
本実施形態において，コンピュータ機器である製品２は，製品２を動作させるコンピュータプログラムにより実現される機能として，製品２の動作を制御する製品制御部２０を備える。製品２が備える製品制御部２０は，製品２で固有な情報である製品識別番号を記憶し，製品２がネットワーク８に初回に接続した時，製品識別番号を管理サーバ７へ送信し，管理サーバ７から起動許可が送信されると，製品２の内部に記憶され，製品２を動作させるためのソフトウェアを起動させる処理を実行する。
【００３４】
次に，本実施形態に係る管理サーバ７について説明する。本実施形態に係る管理サーバ７は汎用のサーバを利用して実現される装置である。
【００３５】
図２に図示したように，本実施形態に係る管理サーバ７は，管理サーバ７と接続している大容量のストレージに設けられるデータベース（DB: DataBase）として，タグ識別番号に関連付けて，タグ識別番号を記憶しているＲＦタグ４が貼られた梱包箱３に梱包された製品２の製品識別番号を少なくとも記憶するＲＦタグＤＢ７１と，製品登録装置５によってタグ識別番号が読み取られたＲＦタグ４が貼られた梱包箱３に梱包されていた製品２の製品識別番号を記憶させる登録製品ＤＢ７２を備える。
【００３６】
また，本実施形態に係る管理サーバ７は，管理サーバ７として用いるサーバを動作させるコンピュータプログラムにより実現される機能として，製品２が梱包されている梱包箱３に貼られたＲＦタグ４のタグ識別番号を利用して製品２の使用を管理する処理を実行する製品管理部７０を備える。
【００３７】
本実施形態に係る管理サーバ７の製品管理部７０は，製品登録装置５からＲＦタグ４のタグ識別番号を含む製品登録要求が送信されると，製品登録装置５から受信した製品登録要求に含まれるタグ識別番号がＲＦタグＤＢ７１に登録されているか否かを確認し，タグ識別番号がＲＦタグＤＢ７１に登録されている場合，製品登録装置５から受信したタグ識別番号に対応する製品識別番号を登録製品ＤＢ７２に登録する処理を実行する。
【００３８】
また，本実施形態に係る製品使用管理システム１はユーザ登録装置６を含むため， 管理サーバ７の製品管理部７０は，ユーザ登録装置６からユーザ登録要求が送信されると，ユーザ登録装置６から受信したユーザ登録要求に含まれるタグ識別番号がＲＦタグＤＢ７１に登録されているか否かを確認し，タグ識別番号がＲＦタグＤＢ７１に登録されている場合，ユーザ情報入力画面をユーザ登録装置６へ送信し，ユーザ登録装置６からユーザ情報が送信されると，ユーザ登録要求に含まれるタグ識別番号に対応する製品識別番号に関連付けて，ユーザ登録装置６から受信したユーザ情報を登録製品ＤＢ７２に登録する処理を実行する。
【００３９】
更に，本実施形態において，管理サーバ７の製品管理部７０は，製品２から管理サーバ７に製品識別番号が送信されると，管理サーバ７の製品管理部７０は，ネットワーク８に接続した製品２が送信した製品識別番号が登録製品ＤＢ７２に登録され，かつ，この製品識別番号にユーザ情報が関連付けられている場合，管理サーバ７にアクセスした製品２に起動許可通知を送信する処理を実行する。なお，製品２から受信した登録製品ＤＢ７２に登録されていることのみを，管理サーバ７にアクセスした製品２に起動許可通知を送信する条件とすることもできる。
【００４０】
ここから，本実施形態に係る製品使用管理システム１で実行される処理について説明する。図３は，製品使用管理システム１で実行される処理を説明する図である。本実施形態に係る製品使用管理システム１で最初に実行される処理は，ユーザが購入した製品２を梱包している梱包箱３に貼られたＲＦタグ４のタグ識別番号を読み取り，ＲＦタグ４から読み取ったタグ識別番号に対応する製品識別番号を管理サーバ７に登録する製品登録処理Ｐ１になる。製品登録処理Ｐ１の次に製品使用管理システム１で実行される処理は，製品２を購入したユーザのユーザ情報を管理サーバ７に登録するユーザ登録処理Ｐ２になる。そして，ユーザ登録処理Ｐ２の次に製品使用管理システム１で実行される処理は，ＲＦタグ４が貼られた梱包箱３に梱包された製品２の使用許可を管理する製品使用管理処理Ｐ３である。
【００４１】
図４は，本実施形態に係る製品使用管理システム１で最初に実行される製品登録処理Ｐ１を説明する図である。ＲＦタグ４が貼られている梱包箱３に梱包された製品２を販売した店舗の店員が，ＲＦタグ４に記憶されているタグ識別番号を読み取る操作を製品登録装置５上で行うと，製品登録装置５の製品登録部５０が起動する（Ｓ１）。
【００４２】
製品登録装置５の製品登録部５０は，製品登録装置５のＲＦタグ通信部５１にＲＦタグ４を検出させる動作を行わせ，店員が製品登録装置５のＲＦタグ通信部５１をＲＦタグ４にかざすことでＲＦタグ通信部５１がＲＦタグ４を検出すると，ＲＦタグ通信部５１を利用して，ＲＦタグ通信部５１が検出したＲＦタグ４に対してタグ識別番号を読み出すコマンドを送信する（Ｓ２）。タグ識別番号を読み出すコマンドを受信したＲＦタグ４のインレット部４０は，自分自身が記憶しているタグ識別番号を無線通信により発信し（Ｓ３），製品登録装置５の製品登録部５０は，販売した製品２を梱包している梱包箱３に貼れたＲＦタグ４のタグ識別番号を取得する（Ｓ４）。製品２が梱包されている梱包箱３に貼られたＲＦタグ４のタグ識別番号を取得した後，製品登録装置５の製品登録部５０は，ネットワーク通信部５２を利用して，製品２が梱包されている梱包箱３に貼られたＲＦタグ４から読み出したタグ識別番号を含む製品登録要求を管理サーバ７へ送信する（Ｓ５）。
【００４３】
管理サーバ７の製品管理部７０は，製品登録要求を製品登録装置５から受信すると，製品登録装置５から受信した製品登録要求に含まれるタグ識別番号がＲＦタグＤＢ７１に登録されているか確認し（Ｓ６），製品登録装置５から受信したタグ識別番号がＲＦタグＤＢ７１に登録されている場合，製品登録装置５から受信したタグ識別番号に関連付けられている製品識別番号を登録製品ＤＢ７２に登録して，製品登録処理Ｐ１は終了する（Ｓ７）。なお，製品登録装置５から受信したタグ識別番号をＲＦタグＤＢ７１から検索でない場合，製品登録処理Ｐ１は終了する（Ｓ６ａ）。
【００４４】
図５は，本実施形態に係る製品使用管理システム１で２番目に実行されるユーザ登録処理Ｐ２を説明する図である。ＲＦタグ４が貼られている梱包箱３に梱包された製品２を購入したユーザは，製品２を梱包している梱包箱３を開封する前，すなわち，ＲＦタグ４の易破断部４１を利用してＲＦタグ４のインレット部４０を破断する前に，ユーザ登録装置６のユーザ登録部６０を起動させる操作を行い，ユーザ登録装置６のユーザ登録部６０が起動する（Ｓ１０）。
【００４５】
ユーザ登録装置６のユーザ登録部６０は，ＲＦタグ４からタグ識別番号を読み取る操作をユーザが行うと，ユーザ登録装置６のＲＦタグ通信部６１にＲＦタグ４を検出させる動作を行わせ，ユーザがユーザ登録装置６のＲＦタグ通信部６１をＲＦタグ４にかざすことでＲＦタグ通信部６１がＲＦタグ４を検出すると，ＲＦタグ通信部６１を利用して，ＲＦタグ通信部６１が検出したＲＦタグ４に対してタグ識別番号を読み出すコマンドを送信する（Ｓ１１）。タグ識別番号を読み出すコマンドを受信したＲＦタグ４のインレット部４０は，自分自身が記憶しているタグ識別番号を無線通信により発信し（Ｓ１２），ユーザ登録装置６のユーザ登録部６０は，ユーザが購入した製品２を梱包している梱包箱３に貼られたＲＦタグ４のタグ識別番号を取得する（Ｓ１３）。
【００４６】
製品２が梱包されている梱包箱３に貼られたＲＦタグ４のタグ識別番号を取得した後，ＲＦタグ４から読み出したタグ識別番号を送信する操作をユーザが行うと，ユーザ登録装置６のユーザ登録部６０は，ネットワーク通信部６２を利用して，製品２が梱包されている梱包箱３に貼られたＲＦタグ４から読み出したタグ識別番号を含むユーザ登録要求を管理サーバ７へ送信する（Ｓ１４）。
【００４７】
管理サーバ７の製品管理部７０は，ユーザ登録要求をユーザ登録装置６から受信すると，ユーザ登録装置６から受信したユーザ登録要求に含まれるタグ識別番号がＲＦタグＤＢ７１に登録されているか確認し（Ｓ１５），ユーザ登録装置６から受信したタグ識別番号がＲＦタグＤＢ７１に登録されている場合，ユーザ登録要求を送信したユーザ登録装置６に対してユーザ情報入力画面を送信する（Ｓ１６）。なお，ユーザ登録装置６から受信したタグ識別番号がＲＦタグＤＢ７１に登録されていない場合，ユーザ登録処理Ｐ２は終了する（Ｓ１５ａ）。
【００４８】
ユーザ登録要求を管理サーバ７に送信したユーザ登録装置６のユーザ登録部６０は，管理サーバ７からユーザ情報入力画面を受信すると，ユーザ情報入力画面をユーザ登録装置６のディスプレイに表示させ，ユーザが入力した情報をユーザ情報として取得する（Ｓ１７）。ユーザ情報を取得した後，ユーザがユーザ情報を送信する操作を行うと，ユーザ登録装置６のユーザ登録部６０は，ユーザがユーザ登録装置６に入力したユーザ情報を管理サーバ７へ送信する（Ｓ１８）。
【００４９】
管理サーバ７の製品管理部７０は，ユーザ情報をユーザ登録装置６から受信すると，ユーザ登録装置６から送信されたユーザ登録要求に含まれるタグ識別番号に対応する製品識別番号に関連付けた状態で，ユーザ登録装置６から受信したユーザ情報を登録製品ＤＢ７２に登録して，ユーザ登録処理Ｐ２は終了する（Ｓ１９）。
【００５０】
図６は，本実施形態に係る製品使用管理システム１で最後に実行される製品使用管理処理Ｐ３を説明する図である。
【００５１】
ＲＦタグ４が貼られている梱包箱３に梱包された製品２を購入したユーザは，製品２を使用開始する際，ＲＦタグ４の易破断部４１を判断して梱包箱３を開封し製品２を梱包箱３から取り出した後，製品２をネットワーク８に接続させる作業を行う（Ｓ３０）。
【００５２】
製品２がインターネットに接続すると（Ｓ３１），製品２の製品制御部２０は，ネットワーク通信部２１を利用して，製品制御部２０が記憶している製品識別番号を管理サーバ７へ送信する（Ｓ３２）。
【００５３】
管理サーバ７の製品管理部７０は，ネットワーク８に接続した製品２から製品識別番号を受信すると，製品識別番号が登録製品ＤＢ７２に登録され，本実施形態では，更に，この製品識別番号のユーザ情報が関連付けられているか確認する（Ｓ３３）。
【００５４】
管理サーバ７の製品管理部７０は，製品２から受信した製品識別番号が登録製品ＤＢ７２に登録され，かつ，この製品識別番号のユーザ情報が関連付けられている場合，タグ識別番号を記憶したＲＦタグ４が貼れた梱包箱３に梱包されていた製品２はすり替えされておらず，かつ，ユーザ登録が済んでいると判断し，製品識別番号を送信した製品２に対し起動許可通知を送信する（Ｓ３４）。なお，製品２から受信した製品識別番号が登録製品ＤＢ７２に登録されていない場合，また，製品２から受信した製品識別番号が登録製品ＤＢ７２に登録されているが，ユーザ登録が済んでいない場合，製品２に対し起動許可通知を送信することなく使用管理処理Ｐ３は終了する（Ｓ３３ａ）。
【００５５】
製品識別番号を管理サーバ７へ送信した後，起動許可通知が管理サーバ７から通知されると，製品２の製品制御部２０は，製品２の内部に記憶され，製品２を動作させるためのソフトウェアを起動させて，使用管理処理は終了する（Ｓ３５）。
【００５６】
上述した本実施形態に係る製品使用管理システム１では，ＲＦタグ４が貼られた梱包箱３が開封される前に，梱包箱３から剥がす際に発生する応力によって無線通信機能が破壊される構造のＲＦタグ４を利用して，ＲＦタグ４が貼られた梱包箱３の開封管理を行うことができる。また，ＲＦタグ４が貼られた梱包箱３に梱包されている製品２の使用を管理するために，本実施形態に係る製品使用管理システム１は，ＲＦタグ４からタグ識別番号が製品登録装置５によって読み出され，製品２がＲＦタグから読み出したタグ識別番号に対応する製品識別番号が管理サーバ７に登録されている場合のみ，梱包箱３に梱包されている製品２がネットワーク８に接続した時に製品２が起動するように構成されている。
【００５７】
本実施形態のように，製品登録装置５を店舗に設置すれば，店舗で販売した製品２のみが使用可能になり，流通経路における製品２のすり替えを防止できる。また，製品２の使用許可の条件にユーザ情報の登録を加えることで，店舗における製品２のすり替えを防止できる。なお，ＲＦタグ４を貼る梱包箱３が外箱と内箱で構成される場合，ＲＦタグ４を内箱に貼ることもできる。
【符号の説明】
【００５８】
１    製品使用管理システム
２    製品
２０    製品制御部
２１    ネットワーク通信部
３    梱包箱
４    ＲＦタグ
４０    インレット部
４１    易破断部
５    製品登録装置
５０    製品登録部
５１    ＲＦタグ通信部
５２    ネットワーク通信部
６    ユーザ登録装置
６０    ユーザ登録部
６１    ＲＦタグ通信部
６２    ネットワーク通信部
７    管理サーバ
７０    製品管理部
７１    ＲＦタグＤＢ
７２    登録製品ＤＢ
【図１】
2018063603.tif 000003
【図２】
2018063603.tif 000004
【図３】
2018063603.tif 000005
【図４】
2018063603.tif 000006
【図５】
2018063603.tif 000007
【図６】
2018063603.tif 000008